(57)【要約】      （修正有）【課題】広告表示が可能であるとともに明るく鮮やかなカラー表示が可能で、低消費電力で、製造コストを可及的に低くすることを可能にする。【解決手段】それぞれがマトリクス状に配置された開口部を有する第１乃至第３の格子１０、１２、１４と、第１乃至第３の格子の開口部を貫通する下地となる第１の色フィルム片２１と、第２の色フィルム片２２、２３、２４と、第１乃至第３の格子の一方の面から第２の色フィルム片の長軸方向の一方の端部を押す第１のアクチュエータ２０１と、他方の端部を押す第２のアクチュエータと、第１のアクチュエータを前記第１の格子の面に平行に移動させる第１の移動機構２００と、第２のアクチュエータを第３の格子の面に平行に移動させる第２の移動機構と備え、同一の色フィルム片によって貫通された第１乃至第３の各開口部の中心同士を結ぶ線が同一直線状とならないように第１乃至第３の格子が配置されている。【選択図】図１
2005208301.tif 000002
【特許請求の範囲】
【請求項１】
それぞれがマトリクス状に配置された開口部を有する第１乃至第３の格子と、
前記第１乃至第３の格子の開口部を貫通する下地となる第１の色フィルム片と、
前記第１乃至第３の格子の開口部を貫通する第２の色フィルム片と、
前記第１乃至第３の格子の一方の面から前記第２の色フィルム片の長軸方向の一方の端部を押す第１のアクチュエータと、
前記第１乃至第３の格子の他方の面から前記第２の色フィルム片の長軸方向の他方の端部を押す第２のアクチュエータと、
前記第１のアクチュエータを前記第１の格子の面に平行に移動させる第１の移動機構と、
前記第２のアクチュエータを前記第３の格子の面に平行に移動させる第２の移動機構と備え、
前記第２の格子は前記第１の格子と前記第３の格子との間に設けられ、同一の色フィルム片によって貫通された前記第１乃至第３の各開口部の中心同士を結ぶ線が同一直線状とならないように前記第１乃至第３の格子が配置されていることを特徴とする表示装置。
【請求項２】
前記第１の格子の同一の開口部を貫通した前記第１の色フィルム片と前記第２の色フィルム片は、前記第２および第３の格子においては、異なる開口部を貫通することを特徴とする請求項１記載の表示装置。
【請求項３】
前記第１乃至第３の格子の開口部を貫通する、前記第１および第２の色フィルム片と異なる色の第３の色フィルム片とを有し、
前記第１のアクチュエータは前記第２および第３の色フィルム片の長軸方向の一方の端部を押すように構成され、
前記第２のアクチュエータは前記第２および第３の色フィルム片の長軸方向の他方の端部を押すように構成されたことを特徴とする請求項１記載の表示装置。
【請求項４】
前記第１の格子の同一の開口部を貫通した前記第１乃至第３の色フィルム片は、前記第２および第３の格子においては、それぞれ異なる開口部を貫通することを特徴とする請求項３記載の表示装置。
【請求項５】
前記第１の色フィルム片と異なる色フィルム片は、前記第３の格子の開口部を貫通して前記第２の格子と反対側に位置する部分の最大幅が、前記第１乃至第３の格子を貫通している部分の幅よりも大きいことを特徴とする請求項１乃至４のいずれかに記載の表示装置。
【請求項６】
前記第１の色フィルム片と異なる色フィルム片は、前記第１の格子の開口部を貫通して前記第２の格子と反対側に位置する部分の最大幅が、前記第１の格子の開口部の最大幅よりも大きいことを特徴とする請求項１乃至５のいずれかに記載の表示装置。
【発明の詳細な説明】
【技術分野】
【０００１】
本発明は、表示装置に関する。
【背景技術】
【０００２】
一般に、反射型表示装置に比べて、光のでる発光型表示装置は、消費電力が大きく、環境負荷が大きいといわれている。特に、大面積の発光ダイオード型などは、キロワットオーダーの消費電力となる。
【０００３】
一方、大面積の紙広告、看板は、貼る作業に危険を伴い、人件費がかかってしまう。ほか、印刷や紙消費などで、資源を無駄に使っている。
【０００４】
このような背景から、消費電力の少ない、非発光型の大型表示装置が求められている。とくにインターネットなどの遠隔操作によって、表示内容を変えられるなどの機能が付加されていると、タイムリーな広告表示が出来るほか、一つの広告板を時分割で利用できるので、広告費を削減することが出来る。
【０００５】
一方、液晶など、反射型表示装置は、白色が暗く、その他の色も全体的に暗い表示になってしまうものが多い。
【０００６】
そこで、全体的に明るく、低消費電力な可動フィルム型表示装置が提案されている（例えば、特許文献１参照）。この特許文献１に開示されている可動フィルム型表示装置は、携帯情報機器のディスプレイとして用いられるため、小型であって、可動フィルム上に設けられた可動電極と、固定駆動電極との間に電位差を持たせ、静電力によって駆動させる構成となっている。
【特許文献１】特開平８−２７１９３３号公報
【発明の開示】
【発明が解決しようとする課題】
【０００７】
特許文献１に記載の可動フィルム型表示装置を、広告表示用の大型にするのには製造コストがかかるという問題がある。
【０００８】
本発明は、上記事情を考慮してなされたものであって、広告表示が可能であるとともに明るく鮮やかなカラー表示が可能で、低消費電力で、製造コストを可及的に低くすることが可能な表示装置を提供することを目的とする。
【課題を解決するための手段】
【０００９】
本発明の一態様による表示装置は、それぞれがマトリクス状に配置された開口部を有する第１乃至第３の格子と、前記第１乃至第３の格子の開口部を貫通する下地となる第１の色フィルム片と、前記第１乃至第３の格子の開口部を貫通する第２の色フィルム片と、前記第１乃至第３の格子の一方の面から前記第２の色フィルム片の長軸方向の一方の端部を押す第１のアクチュエータと、前記第１乃至第３の格子の他方の面から前記第２の色フィルム片の長軸方向の他方の端部を押す第２のアクチュエータと、前記第１のアクチュエータを前記第１の格子の面に平行に移動させる第１の移動機構と、前記第２のアクチュエータを前記第３の格子の面に平行に移動させる第２の移動機構と備え、前記第２の格子は前記第１の格子と前記第３の格子との間に設けられ、同一の色フィルム片によって貫通された前記第１乃至第３の各開口部の中心同士を結ぶ線が同一直線状とならないように前記第１乃至第３の格子が配置されていることを特徴とする。
【００１０】
なお、前記第１の格子の同一の開口部を貫通した前記第１の色フィルム片と前記第２の色フィルム片は、前記第２および第３の格子においては、異なる開口部を貫通するように構成してもよい。
【００１１】
なお、前記第１乃至第３の格子の開口部を貫通する、前記第１および第２の色フィルム片と異なる色の第３の色フィルム片とを有し、前記第１のアクチュエータは前記第２および第３の色フィルム片の長軸方向の一方の端部を押すように構成され、前記第２のアクチュエータは前記第２および第３の色フィルム片の長軸方向の他方の端部を押すように構成されてもよい。
【００１２】
なお、前記第１の格子の同一の開口部を貫通した前記第１乃至第３の色フィルム片は、前記第２および第３の格子においては、それぞれ異なる開口部を貫通するように構成してもよい。
【００１３】
なお、前記第１の色フィルム片と異なる色フィルム片は、前記第３の格子の開口部を貫通して前記第２の格子と反対側に位置する部分の最大幅が、前記第１乃至第３の格子を貫通している部分の幅よりも大きいように構成してもよい。
【００１４】
なお、前記第１の色フィルム片と異なる色フィルム片は、前記第１の格子の開口部を貫通して前記第２の格子と反対側に位置する部分の最大幅が、前記第１の格子の開口部の最大幅よりも大きいように構成してもよい。
【発明の効果】
【００１５】
本発明によれば、広告表示が可能であるとともに明るく鮮やかなカラー表示が可能で、低消費電力で、製造コストを可及的に低くすることができる。
【発明を実施するための最良の形態】
【００１６】
以下、本発明の実施形態を、図面を参照して説明する。
【００１７】
（第１実施形態）
本発明の第１実施形態による表示装置は、非発光の反射型で、紙の白さとマルチカラーを実現するものである。本発明の基本原理は、瓦屋根状に並んだ白色のフィルム片の隙間から、色フィルム片を出し入れするものである。色フィルム片として、黒フィルム片を用いれば、白黒表示装置となり、色フィルム片としてシアン・マゼンタ・イエローの透過性色フィルム片を用いれば、カラー表示装置となる。瓦屋根状に並んだ白フィルム片の隙間から出す色フィルム片のせり出し量で、中間調を表現する。色フィルム片を移動させる手段としては、色フィルム片の端部を機械的に押す手段を採る。
【００１８】
本発明の第１実施形態による表示装置は、縦横に並んだ各画素の色フィルム片を支える構造体として、格子を用いている。格子の素材としては、金属板のエッチング品、金網、網戸のような樹脂繊維の網などが利用でき、安価に表示装置を構成することができる。
【００１９】
また、単に格子を採用しただけでなく、格子を複数個（本実施形態では３個）ならべ、フィルム片に対する保持力や耐振動性を高めてある。すなわち、同一色フィルム片が貫通する複数の格子の開口部の中心位置をずらすことにより、この短冊状の色フィルム片を撓め、そして、色フィルム片と格子、または、色フィルム片同士を接触させ、色フィルム片が外部からの振動に対して容易に動くことがないように構成した。これは、接触による摩擦力や、色フィルム片が撓むときの弾性力で、格子と色フィルム片または、色フィルム片同士が密着するためである。
【００２０】
次に、本実施形態による表示装置の構成要素を具体的に説明する。
【００２１】
本発明の第１実施形態による表示装置はマトリクス状に配列された複数の画素を有し、表示面に垂直でかつ画素列に平行な平面で切断したときの断面図を図１（ａ）に、表示装置の一画素列の画面正面から見た図を図１（ｂ）に示す。本実施形態による表示装置は、第１の格子１０、第２の格子１２、第３の格子１４と、白色フィルム片２１ａ、２１ｂ、…、２１ｄ、２１ｚと、透過性マゼンタ色フィルム片２２ａ、２２ｂ、…、２２ｄと、透過性シアン色フィルム片２３ａ、２３ｂ、…、２３ｄと、透過性イエロー色フィルム片２４ａ、２４ｂ、…、２４ｄとを備えている。
【００２２】
第１の格子１０には表示装置の画素に対応した数の開口部が設けられている。第２および第３の格子１２、１４には、画素列方向の画素の４倍の数の開口部が設けられている。すなわち、図１（ａ）、（ｂ）においては、一画素列は５個の画素からなっている。そして、白色フィルム片２１ａ、マゼンタ色フィルム片２２ａ、シアン色フィルム片２３ａ、およびイエロー色フィルム片２４ａは、第１の格子１０の同じ開口部を貫通するように構成され、第２および第３の格子１２、１４の異なる開口部を貫通するように構成されている。同様に、白色フィルム片２１ｂ、マゼンタ色フィルム片２２ｂ、シアン色フィルム片２３ｂ、およびイエロー色フィルム片２４ｂは、第１の格子１０の同じ開口部を貫通するように構成され、第２および第３の格子１２、１４の異なる開口部を貫通するように構成されている。同様に、白色フィルム片２１ｃ、マゼンタ色フィルム片２２ｃ、シアン色フィルム片２３ｃ、およびイエロー色フィルム片２４ｃは、第１の格子１０の同じ開口部を貫通するように構成され、第２および第３の格子１２、１４の異なる開口部を貫通するように構成されている。また、同様に、白色フィルム片２１ｄ、マゼンタ色フィルム片２２ｄ、シアン色フィルム片２３ｄ、およびイエロー色フィルム片２４ｄは、第１の格子１０の同じ開口部を貫通するように構成され、第２および第３の格子１２、１４の異なる開口部を貫通するように構成されている。なお、白色フィルム片２１ｚは、最上段の画素の背景となるフィルム片である。
【００２３】
各画素において、全ての色フィルム片を、図中の表示面側から押し込むことにより、画素を白表示の状態にでき、表示面と反対の方向から各色を個別に押し出すことにより、画素に押し出した色を表示することが可能となる構成となっている。図１（ａ）に示す矢印は、フィルム片の端部を押す方向を表している。図１（ｂ）において、上から１番目の画素においてはイエロー色フィルム片２４ａが押し出されてイエロー色が表示され、２番目の画素においてはマゼンタ色フィルム片２２ｂが押し出されてマゼンタ色が表示され、３番目の画素においてはシアン色フィルム片２３ｃが押し出されたシアン色が表示され、４番目の画素においてはイエロー色フィルム片２４ｄが押し出されたイエロー色が表示されている。なお、白色フィルム片２１ｄは最下段の背景を表示するのに用いられる。
【００２４】
次に、各色フィルム片を駆動する駆動装置を、図２を参照して説明する。図２は、本実施形態による表示装置の色フィルムを駆動する駆動装置２００の概要を示す斜視図である。表示画面側からみて、第１の格子１０、第２の格子１２、第３の格子１４の順に設けられており、これらの格子１０、１２、１４の開口部を貫通する白色フィルム片２１が複数、瓦屋根状に並べられており、その隙間から色フィルム片２２、２３、２４が一部露出している。第３の格子１４に対し、以下、表示側と反対側を後ろ側と呼ぶことにする。
【００２５】
これら色フィルム片を駆動する駆動装置２００には、後ろ側に、前述の色フィルム片の端辺を押すためのアクチュエータ２０１と、このアクチュエータ２０１を移動させるＸＹステージ２１０が設けられている。アクチュエータ２０１には、本体部２０２と、色フィルム片の端面を押すために本体部２０２内に摺動可能に設けられた押し込みロッド２０３が備えられている。
【００２６】
一方、ＸＹステージ２１０には、アクチュエータ２０１を表示面の画素行方向に平行な方向（以下、Ｘ方向という）に移動させるＸ方向駆動部２２０と、アクチュエータ２０１を表示面の画素列方向に平行な方向（以下、Ｙ方向という）に移動させるＹ方向駆動部２４０が設けられている。
【００２７】
Ｘ方向駆動部２２０は、ボールネジ２２１と、このボールネジ２２１の一端が回転軸に結合され、ボールネジ２２１を回転駆動するモータ２２２と、リニアスライダ２２３と、ボールネジ支持部２２４と、ロッド２２５と、支持部２２６、２２７と、ロッド２２８、２２９と、スライダ２３０とを備えている。リニアスライダ２２３は内部に雌ねじが形成された貫通孔を有し、ボールネジ２２１と噛合している。ボールネジ支持部２２４は、ボールネジ２２１のネジが形成されていない他端を支持する軸受けを備えており、ボールネジ２２１が回転してもボールネジ支持部２２４は回転しないように構成されている。そしてボールネジ支持部２２４はロッド２２５を介して支持部２２６と結合され、支持部２２６はロッド２２８を介して支持部２２７に結合されている。また、支持部２２７はロッド２２９を介してモータ２２２に固定されている。スライダ２３０は貫通孔を有し、ロッド２２８を摺動可能に取り付けられている。そして、支持部２２６、２２７とロッドは一体となるように固定されている。したがって、モータ２２２、ボールネジ支持部２２４、ロッド２２５、支持部２２６、２２７、ロッド２２８、２２９は、一体となって固定されている。このＸ方向駆動部２２０において、モータ２２２の回転軸が回転するとリニアスライダ２２３がボールネジ２２１の軸方向に移動する。
【００２８】
Ｙ方向駆動部２４０は、ボールネジ２４１と、このボールネジ２４１の一端が回転軸に結合され、ボールネジ２４１を回転駆動するモータ２４２と、リニアスライダ２４３と、ボールネジ支持部２４５とを備えている。ボールネジ支持部２２４は、ボールネジ２２１のネジが形成されていない他端を支持する軸受けを備えている。リニアスライダ２４３は内部に雌ねじが形成された貫通孔を有し、ボールネジ２４１と噛合している。ボールネジ支持部２４５は、ボールネジ２４１のネジが形成されていない他端を支持する軸受けを備えており、ボールネジ２４１が回転してもボールネジ支持部２４５は回転しないように構成されているモータ２４２はリニアスライダ２２３に固定されている。また、アクチュエータ２０１はリニアスライダ２４３に固定されている。ボールネジ支持部２４５はスライダ２３０に固定されている。このＹ方向駆動部２４０において、モータ２４２の回転軸が回転するとリニアスライダ２４３がボールネジ２４１の軸方向に移動する。
【００２９】
このように構成されたＸＹステージ２１０において、モータ２２２、２４２を回転させてアクチュエータ２０１を所望の画素位置に移動させることができる。そして、アクチュエータ２０１には、マゼンタ色フィルム片２２、シアン色フィルム片２３、およびイエロー色フィルム片２４をそれぞれ押すロッド２０３が設けられており、これらのロッド２０３によって色フィルムの端部が押され、色フィルム片の移動量をそれぞれ制御することにより所望の色の表示が可能となる。
【００３０】
また、表示画面側にも同様の駆動装置があり、色フィルム片を前から押し込んで、白書き込み（消去）が出来る。この場合、アクチュエータは、斜め上方から、色フィルム片を押し込むことになる。
【００３１】
また、ＸＹステージを実現するにあたって、ボールネジではなく、タイミングベルトを用いても良い。すなわち、タイミングベルトは、二つのプーリにかけてあり、プーリのどちらかをモータで回転させる。タイミングベルトには、リニアガイドがとりつけてあり、モータの回転でこのリニアガイドをスライドさせることができる。
【００３２】
上述の構成の駆動装置によって色フィルム片を駆動することによって、表示画面に、白地にシアン色で「Ａ」という文字を表示した例を図３に示す。なお、図３においては、画素行数、すなわち白フィルム片の数は、２１ａ〜２１ｊの１０個となる。
【００３３】
次に、本実施形態の表示装置の組み立て方法を、図４を参照して説明する。表示面側から順に第１の格子１０、第２の格子１２、第３の格子１４を配置する。またこれら格子１０、１２、１４にはそれぞれ開口部１０ａ、１２ａ、１４ａが設けられている。第１の格子１０の開口部１０ａの大きさは、０.９ｍｍ×０．９ｍｍで、縦横に並んだ開口部の並びピッチは縦横ともに１ｍｍである。一方、第２の格子１２、第３の格子１４は、開口部が縦０．１５ｍｍ、横０．９ｍｍ、ピッチが、縦０．２５ｍｍ、横１ｍｍである。
【００３４】
これらの開口部に挿入される下地白フィルム片２１は、厚さが５０μｍ〜１００μｍのアクリル樹脂または、ポリエチレンテレフタレート樹脂、ポリカーボネート樹脂、ポリスチレン樹脂を用いる。この下地白フィルム片２１は、格子の開口部に挿入される部分の幅が、当然、格子開口部の横幅０．９ｍｍよりも小さいが、表示面側は同一行の隣接画素と接続されており、第１の格子１０に挿入されない構成となっている。白フィルム片２１の白色は、フィルム片全体に、練り込まれていてもよく、また、表面全体に塗られていても良い。また、表示面から現れる部分、すなわち視認者から見られる部分だけに塗られていてもよい。表示面に現れない部分は、透明であっても良いし、その他の色になっていても良い。
【００３５】
色フィルム片は、例えば、透過性のマゼンタ、または、透過性のシアン、透過性のイエローなどの色が使われる。これらの色フィルムは短冊状の形状を有している。なお、図４においてはイエロー色フィルム片２４のみを表示してある。モノクロ表示の場合は、不透過性の黒色などが用いられる。色フィルム片２４も白フィルム片と同様に、当然、格子開口部の横幅０．９ｍｍよりも小さくなければならない。また、色フィルム片２４は、表示部近傍が第１の格子１０には挿入されないように、表示部近傍の幅は、第１の格子１０の幅１０ａより広く、外部から力が加わっても、第１の格子１０の開口部１０ａには、入り込まないようになっている。
【００３６】
第１、第２、第３の格子１０、１２、１４は、前述のように、金属のエッチング品や、金網、網戸の網などを用いる。例えば、１００μｍ厚のステンレス板をエッチングして用いる。実際に、ステンレス板をエッチングして用いた場合、格子１０、１２、１４に色フィルムを挿入する際に、第1の格子１０、第２の格子１２、第３の格子１４を密着させ易く、挿入しやすい。これを図示したのが図５である。
【００３７】
図５を参照して説明する。第1の格子１０、第２の格子１２、第３の格子１４の開口部を合わせて出来る限り密着させてある。こうすることにより、色フィルム片や、白フィルム片を入れやすくすることが出来る。この場合、白フィルム片２１、透過性のイエローフィルム片２４、透過性のシアンフィルム片２３、透過性のマゼンタフィルム片２２が順次挿入されている途中の状態を示している。
【００３８】
図５の状態の表示装置の断面を図６（ａ）に示し、表示面側からみた図を図６（ｂ）に示す。第1の格子１０、第２の格子１２、第３の格子１４があり、白フィルム片２１、透過性のイエローフィルム片２４、透過性のシアンフィルム片２３、透過性のマゼンタフィルム片２２が順次挿入されている。このように、格子が互いに密着されている方が、挿入しやすい。
【００３９】
また、第１の格子１０では、白フィルム片２１、透過性のイエローフィルム片２４、透過性のシアンフィルム片２３、透過性のマゼンタフィルム片２２が同一の穴に挿入されている。また、第２の格子１２、第３の格子１４では、白フィルム片２１、透過性イエローフィルム片２４、透過性シアンフィルム片２３、透過性マゼンタフィルム片２２が、別々の穴に挿入されている。この理由は後述する。また、この挿入作業を画面上下に亘って行っていけば、図７（ａ）、（ｂ）に示すような状態になる。なお、図７（ａ）は表示装置の断面図であり、図７（ｂ）は表示画面の正面図である。
【００４０】
この状態で、図８に示すように、第1の格子１０、第２の格子１２、第３の格子１４の間隔を広げる。第1の格子１０と第２の格子１２の間隔をａで、第２の格子１２と第３の格子１４の間隔をｂで示す。その後、図９（ａ）に示すように、第1の格子１０、第２の格子１２、第３の格子１４のＹ方向の位置をスライドさせる。第1の格子１０と第２の格子１２のＹ軸方向のずらし量をｃ、第２の格子１２と第３の格子１４のずらし量をｄ（＜ｃ）で示す。ａ、ｂ、ｃ、ｄは、
（ｃ／ａ）＞（ｄ／ｂ）
の関係式を満たすようにすれば、色フィルム片は撓み、各格子に接触する部位をもち、摩擦抵抗が発生するので、少々の振動が外部から加わっても、色フィルムは動くことはない。これにより、図９（ｂ）に示すように、各画素は、白色フィル片２１、マゼンタ色フィルム片２２、シアン色フィルム片２３，イエロー色フィルム片２４が見える状態になっている。なお、図９（ｂ）は表示画面の正面図である。
【００４１】
そして、図１０（ａ）に示すように、表示面側から、色フィルムの先端をアクチュエータの押し込みロッド３００で押せば、図１０（ｂ）に示すように、各画素においては、下地の白色２１が露出し、画像が消去されたことになる。ここで、下地の白色フィルム２１は、図４で説明したように、第１の格子１０の外側で、隣接画素のものとつながっており、白色フィルム片２１のうち、表示部分は、第１の格子１０の中には押し込まれないようになっている。
【００４２】
最後に各色の書き込み方法について説明する。図１０で白書き込み（消去）が終わった後、表示装置の後方から、所望の色フィルムを押し込む方法を採る。例えば、図１１（ａ）に示すように、イエローフィルム片２４がアクチュエータの押し込みロッド２０３によって押し込まれると、図１１（ｂ）に示すように、最下段の背景となる白色フィルム片２１を除き各画素はイエロー色フィルム片２４が現れ、イエロー色が表示される。押し込む量で中間調も表現することが出来る。押し込み用アクチュエータの押し込み量は、図示しない制御回路から送られてくる信号によって決められる。一般的な画像信号は、通常ＲＧＢ（赤・緑・青）の階調信号をそれぞれ持っており、これらを簡単に補色系のＣＭＹ（シアン・マゼンタ・イエロー）の信号に変換することができる。このＣＭＹの信号のアナログ量または、デジタル量に従って各色フィルムを動かす量を決める。
【００４３】
次に、図１２を参照して、第１の格子１０、第２の格子１２、第３の格子１４のスライド方法について説明する。前述のように、色フィルム片の挿入時には、すべての格子は、密着させておくか、密着に近い状態まで近くに持ってきていた方が、挿入しやすい。しかし、色フィルム片を安定的に支えておくためには、各格子の間隔を広げておいた方が良い。
【００４４】
そこで、図１２に示すように、第１の格子１０には、格子を挟んで対向する位置に設けられた一対のリニアスライド４００を、そして第２の格子１２には、格子を挟んで対向する位置に設けられた一対のリニアスライド４０２（図１２においては、一方のリニアスライダのみを表示）を、また、第３の格子１４には、格子を挟んで対向する位置に設けられた一対のリニアスライド４０４（図１２においては、一方のリニアスライダのみを表示）を設ける。この対向する位置に設けるリニアスライド４０４は、図１３に示すような構造を有している。すなわち、第３の格子１４はリニアスライダ４０４が設けられる側にＴ型の突起を有し、このＴ型の突起が摺動する溝がリニアスライダ４０４に設けられている。各格子１０、１２、１４をスライドさせた後の斜視図を図１４に示す。
【００４５】
以上説明したように、本実施形態によれば、色フィルム片を用いたことにより広告表示が可能であるとともに明るく鮮やかなカラー表示が可能である。また、色フィルム片の駆動機構は単純な構成となっているため、従来の場合に比べて低消費電力で、製造コストを可及的に低くすることができる。
【００４６】
（第２実施形態）
次に、本発明の第２実施形態による表示装置を、図１５を参照して説明する。本実施形態は、第１実施形態において、色フィルム片を表示画面背後から押し込むときの、ロバスト性を高めた構造となっている。図１５（ａ）は、表示装置の後側から見た図である。第３の格子１４の開口部１４ａから出た色フィルム片２５は、必ずしも、格子面に対して垂直に出ているとは限らない。この格子面と色フィルム片の角度は、各色フィルム毎にばらついている可能性がある。本実施形態においては、これらのバラツキが合っても色フィルム片を容易に格子の開口部に挿入することのできる機構が設けられている。すなわち、二枚の先端のとがった板からなる挿入ガイド５００がそれである。この挿入ガイド５００の先端の尖った部分を第３の格子１４に近づけた状態で、Ｘ方向に移動する。こうして、図１５（ｂ）に示すように、色フィルム片２５のうち１枚は、挿入ガイド５００の二枚の板によってＸ方向から挟まれる。この挟まれた状態で、押し込みロッド３００によって、色フィルム片２５は押し込まれる。
【００４７】
この実施形態による表示装置も第１実施形態と同様の効果を奏することは云うまでもない。
【００４８】
（第３実施形態）
次に、本発明の第３実施形態による表示装置を、図１６を参照して説明する。本実施形態は、第１実施形態において、色フィルム片の押し込み過ぎを防止する機構を色フィルム片に設けた構成となっている。図１６（ａ）に示すように、第２および第３の格子１２、１４の開口部１２ａ、１４ａを貫通する色フィルム片２５の形状に工夫が施されている。すなわち第２の格子１２、第３の格子１４の近傍では色フィルム片２５の幅は、図中ｅで示すように一番狭く、端部（図中ｆで示す）広がっている。もちろんこの最大幅は格子開口幅ｇよりも狭くなければならない。色フィルム片２５は、最先端部分において若干狭くなっていて、そこから徐々に広がって、ある点で急に狭くなり、鍵型形状になっている。これは、格子への挿入をスムースにし、その後は、格子にひっかかる構造となっている。
【００４９】
つまり、挿入が終わった後、図１６（ｂ）に示すように第２の格子１２と第３の格子１４を格子面と平行に若干量ｈずらすと、色フィルム２５の先端近傍は鍵型(図中ｊ参照)になっているため色フィルム２５が格子に引っかかる構造になっている。なお、格子と色フィルムの間には隙間ｉがあり、色フィルム片の動きを制約することはない。このようにすることにより、万が一押し込み棒による過剰押し込みがあったとしても、色フィルム片は格子から落ちることはない。
【００５０】
この実施形態も第１実施形態と同様の効果を奏することは云うまでもない。
【図面の簡単な説明】
【００５１】
【図１】本発明の第１実施形態による表示装置の構成を示す図。
【図２】本発明の第１実施形態に係る色フィルム駆動装置の構成を示す斜視図。
【図３】本発明の第１実施形態による表示装置の表示画像例を示す斜視図。
【図４】本発明の第１実施形態による表示装置の組み立て順序を説明する斜視図。
【図５】本発明の第１実施形態による表示装置の組み立て順序を説明する斜視図。
【図６】本発明の第１実施形態による表示装置の組み立て順序を説明する図。
【図７】本発明の第１実施形態による表示装置の組み立て順序を説明する図。
【図８】本発明の第１実施形態による表示装置の組み立て順序を説明する図。
【図９】本発明の第１実施形態による表示装置の組み立て順序を説明する図。
【図１０】本発明の第１実施形態による表示装置の画像消去方法を説明する図。
【図１１】本発明の第１実施形態による表示装置の画像書き込み方法を説明する図。
【図１２】本発明の第１実施形態による表示装置の格子をスライドする機構を説明する斜視図。
【図１３】本発明の第１実施形態による表示装置の格子をスライドする機構を説明する斜視図。
【図１４】本発明の第１実施形態による表示装置の格子をスライドする機構を説明する斜視図。
【図１５】本発明の第２実施形態による表示装置に係るフィルム片挿入機構を説明する図。
【図１６】本発明の第３実施形態による表示装置に係るフィルム片の端部構造を説明する図。
【符号の説明】
【００５２】
１０  第１の格子
１０ａ  第１の格子の開口部
１２  第２の格子
１２ａ  第２の格子の開口部
１４  第３の格子
１４ａ  第３の格子の開口部
２１ａ〜２１ｄ  白色フィルム片
２２ａ〜２２ｄ  マゼンタ色フィルム片
２３ａ〜２３ｄ  シアン色フィルム片
２４ａ〜２４ｄ  イエロー色フィルム片
２００  駆動装置
２０１  アクチュエータ
２０２  本体部
２０３  押し込みロッド
２２０  Ｘ方向駆動部
２２１  ボールネジ
２２２  モータ
２２３  リニアスライダ
２２４  ボールネジ支持部
２２５  ロッド
２２６  支持部
２２７  支持部
２２８  ロッド
２２９  ロッド
２３０  スライダ
２４０  Ｙ方向駆動部
２４１  ボールネジ
２４２  モータ
２４３  リニアスライダ
２４５  ボールネジ支持部
【図１】
2005208301.tif 000003
【図２】
2005208301.tif 000004
【図３】
2005208301.tif 000005
【図４】
2005208301.tif 000006
【図５】
2005208301.tif 000007
【図６】
2005208301.tif 000008
【図７】
2005208301.tif 000009
【図８】
2005208301.tif 000010
【図９】
2005208301.tif 000011
【図１０】
2005208301.tif 000012
【図１１】
2005208301.tif 000013
【図１２】
2005208301.tif 000014
【図１３】
2005208301.tif 000015
【図１４】
2005208301.tif 000016
【図１５】
2005208301.tif 000017
【図１６】
2005208301.tif 000018